【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
複数の像担持体と、前記複数の像担持体の夫々に当接及び離間が可能な複数の現像器と、
前記複数の像担持体上の前記複数の現像器により現像されたトナー画像が転写される中間転写体或いは前記現像されたトナー像が直接転写される転写材を担持する転写材担持体を挟み前記像担持体とでニップ部を形成する転写部材と、を含む画像形成手段を備えた画像形成装置であって、
前記複数の像担持体の前記ニップ部の全てにトナーが進入した状態において形成される第１色のマーク、及び前記複数の像担持体の各ニップ部のうち一部のニップ部にトナーが進入した状態において形成される第２色のマークを含む位置ずれ検出用のパターンを、前記画像形成手段によって前記中間転写体上或いは前記転写材担持体上に形成させるパターン形成手段と、
前記位置ずれ検出用のパターンに含まれる前記第１色のマークの位置と、前記第２色のマークの位置とを検出する検出手段と、
前記検出手段による検出結果に基づき、前記像担持体と、前記中間転写体或いは前記転写材担持体と、の相対速度を補正する補正手段とを備え、
前記像担持体と前記中間転写体或いは前記転写材担持体との間で、第１の相対速度と、前記第１の相対速度とは異なる第２の相対速度が設定可能であり、
前記パターン形成手段は、前記第１の相対速度及び前記第２の相対速度で前記パターンを形成させ、
前記補正手段は、前記検出手段により検出された、前記第１の相対速度で形成された前記パターンに含まれる前記第１色のマークの位置及び前記第２色のマークの位置と、前記第２の相対速度で形成された前記パターンに含まれる前記第１色のマークの位置及び前記第２色のマークの位置と、に基づき、前記相対速度を補正することを特徴とする画像形成装置。
【請求項２】
複数の像担持体と、前記複数の像担持体の夫々に当接及び離間が可能な複数の現像器と、
前記複数の像担持体上の前記複数の現像器により現像されたトナー画像が転写される中間転写体或いは前記現像されたトナー像が直接転写される転写材を担持する転写材担持体を挟み前記像担持体とでニップ部を形成する転写部材と、を含む画像形成手段を備えた画像形成装置であって、
前記複数の像担持体に前記複数の現像器の全てが当接した状態において形成される第１色のマーク、及び前記複数の像担持体に前記複数の現像器の一部が離間或いは当接した状態において形成される第２色のマークを含む位置ずれ検出用のパターンを、前記画像形成手段によって前記中間転写体上或いは前記転写材担持体上に形成させるパターン形成手段と、
前記位置ずれ検出用のパターンに含まれる前記第１色のマークの位置と、前記第２色のマークの位置とを検出する検出手段と、
前記検出手段による検出結果に基づき、前記像担持体と、前記中間転写体或いは前記転写材担持体と、の相対速度を補正する補正手段とを備え、
前記像担持体と前記中間転写体或いは前記転写材担持体との間で、第１の相対速度と、前記第１の相対速度とは異なる第２の相対速度が設定可能であり、
前記パターン形成手段は、前記第１の相対速度及び前記第２の相対速度で前記パターンを形成させ、
前記補正手段は、前記検出手段により検出された、前記第１の相対速度で形成された前記パターンに含まれる前記第１色のマークの位置及び前記第２色のマークの位置と、前記第２の相対速度で形成された前記パターンに含まれる前記第１色のマークの位置及び前記第２色のマークの位置と、に基づき、前記相対速度を補正することを特徴とする画像形成装置。
【請求項３】
前記検出手段は、前記第１の相対速度で形成された前記パターンに含まれる前記第１色のマークの位置と前記第２色のマークの位置から第１ずれ量を検出し、前記第２の相対速度で形成された前記パターンに含まれる前記第１色のマークの位置と前記第２色のマークの位置から第２ずれ量を検出し、前記補正手段は、前記第１ずれ量及び第２ずれ量に基づき、前記像担持体と、前記中間転写体或いは前記転写材担持体と、の相対速度を補正することを特徴とする請求項１又は２に記載の画像形成装置。
【請求項４】
前記パターン形成手段は、前記複数の像担持体の全てに現像器が当接されることにより前記ニップ部の全てにトナーが進入した状態で前記画像形成手段に前記第１色のマークを形成させ、前記複数の像担持体の一部の像担持体の現像器が離間或いは当接されることにより前記一部のニップ部に前記トナーが進入した状態で前記画像形成手段に前記第２色のマークを形成させることを特徴とする請求項１乃至３の何れか１項に記載の画像形成装置。
【請求項５】
前記パターン形成手段は、前記画像形成手段に、前記第１の相対速度で形成された前記パターン及び前記第２の相対速度で形成された前記パターンの少なくとも１つに対応させ、前記複数の像担持体の前記ニップ部の全てにトナーが進入した状態、或いは前記複数の像担持体に前記複数の現像器の全てが当接した状態で、且つ同じ前記相対速度において、前記第１色のマーク及び前記第２色のマークを含ませた前記同じ相対速度で形成された前記パターンを形成させ、
前記補正手段は、前記第１の相対速度で形成された前記パターン、第２の相対速度で形成された前記パターン及び前記同じ相対速度で形成されたパターンの検出結果に基づき、前記相対速度を補正することを特徴とする請求項１乃至４の何れか１項に記載の画像形成装置。
【請求項６】
前記補正手段は、前記同じ相対速度で形成されたパターンの検出結果による直流の色ズレ量を除去した、前記第１の相対速度で形成された前記パターン及び第２の相対速度で形成された前記パターンの中間転写の速度変動に起因する色ズレ量を抽出し、該抽出結果に基づき、前記相対速度を補正することを特徴とする請求項５に記載の画像形成装置。
【請求項７】
前記パターン形成手段は、前記画像形成手段に、前記第１の相対速度で形成された前記パターンと前記第２の相対速度で形成された前記パターンとを、前記中間転写体上或いは前記転写材担持体上における同一領域に形成させることを特徴とする請求項１乃至６の何れか１項に記載の画像形成装置。
【請求項８】
前記補正手段は、前記像担持体及び前記中間転写体の何れかの速度、或いは前記像担持体及び前記転写材担持体の何れかの速度を補正することを特徴とする請求項１乃至７の何れか１項に記載の画像形成装置。
【手続補正２】
【補正対象書類名】明細書
【補正対象項目名】００１２
【補正方法】変更
【補正の内容】
【００１２】
複数の像担持体と、前記複数の像担持体の夫々に当接及び離間が可能な複数の現像器と、前記複数の像担持体上の前記複数の現像器により現像されたトナー画像が転写される中間転写体或いは前記現像されたトナー像が直接転写される転写材を担持する転写材担持体を挟み前記像担持体とでニップ部を形成する転写部材と、を含む画像形成手段を備えた画像形成装置であって、前記複数の像担持体の前記ニップ部の全てにトナーが進入した状態において形成される第１色のマーク、及び前記複数の像担持体の各ニップ部のうち一部のニップ部にトナーが進入した状態において形成される第２色のマークを含む位置ずれ検出用のパターンを、前記画像形成手段によって前記中間転写体上或いは前記転写材担持体上に形成させるパターン形成手段と、前記位置ずれ検出用のパターンに含まれる前記第１色のマークの位置と、前記第２色のマークの位置とを検出する検出手段と、前記検出手段による検出結果に基づき、前記像担持体と、前記中間転写体或いは前記転写材担持体と、の相対速度を補正する補正手段とを備え、前記像担持体と前記中間転写体或いは前記転写材担持体との間で、第１の相対速度と、前記第１の相対速度とは異なる第２の相対速度が設定可能であり、前記パターン形成手段は、前記第１の相対速度及び前記第２の相対速度で前記パターンを形成させ、前記補正手段は、前記検出手段により検出された、前記第１の相対速度で形成された前記パターンに含まれる前記第１色のマークの位置及び前記第２色のマークの位置と、前記第２の相対速度で形成された前記パターンに含まれる前記第１色のマークの位置及び前記第２色のマークの位置と、に基づき、前記相対速度を補正することを特徴とする画像形成装置。